(57)【要約】      （修正有）【課題】エアコンや空気清浄機などの空気調節装置などのエアー性能を向上させることを目的として、消臭・脱臭・抗菌・アロマ効果を備え、しかも心身をリラックスさせたり、不眠症を改善できるような効果も期待できるインド原産のイネ科の多年生草木であるベチバーの根を使って空気調節装置などのエアー機能機構とした安全性の高い天然素材を使ったエアー機能材を提供する。【解決手段】消臭効果や防虫効果やアロマセラピー効果や抗菌効果などが期待されるイネ科のベチバーの根１を所要の大きさまたは長さに切り、ベチバーの根１間に所要の間隙２を有して、ほぼ並列に簾状または縦横組んだ格子状に構成して通気性の良いネット、網、織布、編布、不織布、ウレタンフォームなどの発泡体などの通気材３で覆い周囲または２辺などの所要辺に固定用のベース枠４を設けた構成である。【選択図】図１
0003125981.tif 000002
【実用新案登録請求の範囲】
【請求項１】
消臭効果や防虫効果やアロマセラピー効果や抗菌効果などが期待されるイネ科のベチバーの根１を所要の大きさまたは長さに切り、ベチバーの根１間に所要の間隙２を有してほぼ並列の簾状に構成し、通気性の良い通気材３で覆い周囲または２辺にベース枠４を有した主構成の空気調節装置用などの天然素材を使ったエアー機能材。
【請求項２】
消臭効果や防虫効果やアロマセラピー効果や抗菌効果などが期待されるイネ科のベチバーの根１を所要の大きさまたは長さに切り、ベチバーの根１を縦横に間隙２を有して組んだ格子状に構成し、通気性の良い通気材３で覆い周囲または２辺にベース枠４を有した主構成の請求項１記載の空気調節装置用などの天然素材を使ったエアー機能材。
【考案の詳細な説明】
【技術分野】
【０００１】  本考案はエアコンや空気清浄機などの空気調節装置などのエアー性能や効能を向上させることを目的として、消臭・脱臭・抗菌・防虫・アロマ効果などを備え、しかも心身をリラックスさせたり、不眠症を改善できるような効果も期待できるインド原産のイネ科の多年生草木であるベチバーの根を使って空気調節装置などのエアー機能機構とした安全性の高い天然素材を使ったエアー機能材に関するものある。
【背景技術】
【０００２】  技術立国日本に於て、化学物質を使った芳香剤や消臭剤などの石油をベースとした技術は我々が住む家庭環境をも知らず知らずのうちに汚染し、破壊し、強いては我々人類を滅ぼすかもしれない重要な課題である。【０００３】  このような現状に対処するには安全性の高い天然素材を活用した環境改善や心身のケアなどが有効な手段であり、その一つとして安全性の高い天然素材のベチバーの根を使った消臭、脱臭、アロマセラピー、防虫などの概要的用途技術として特許文献の発明の名称「消臭・脱臭剤とそれを使用した消臭・脱臭効果を有する物品、臭気低減システム及び臭気低減方法」が出願公開されているがベチバーの根の効能は旧来から知られ多用途に使用されているため本文献の技術は単なる用途技術に過ぎず新規性や創意性や具体性に欠けていた。【０００４】
【特許文献】  特開２００４−２４３０９５
【考案の開示】
【考案が解決しようとする課題】
【０００５】  ベチバーの根を所要の大きさまたは長さに切ったもの、あるいは粉砕または破砕したものを空気調節装置のエアーフィルターとした特開２００４−２４３０９５に関する従来の技術に於ては下記の問題があった。
（イ）インドネシアに育つベチバーの植物の根は昔から香料材として、主に男性用のオーデコロンに利用されていたし、今でも緊張やストレスを鎮めて人の心をケアしてくれる効果が期待されることからアロマセラピー用としても用いられていますが、香りは個人差により好き嫌いが顕著であるし、微妙な芳香強度を要求されるし、空気調節装置用のエアーフィルターとすれば稼動時は常時香りを発散するため必要な時だけ香りを楽しむ限定作用は困難となるなどの種々問題がありエアコンや空気清浄機などの空気調節装置用のエアーフィルターとして標準化することは問題であった。
（ロ）天然素材のベチバーの根は粉末や粒状に加工した場合には耐久性能が劣化する欠点があるため、複雑ランダム形状の素材をベースとした製品化を余儀なくされ構成や性能の標準化が困難であって標準的性能が要求されるエアーフィルターとしては製造技術的にも問題であった。
【課題を解決するための手段】
【０００６】  その課題を解決するための構成は、基本的には空気調節装置のエアーフィルターとしての用途だけではなくエアー機能機構とした新たな付加価値的用途と技術構成であって、その構成を説明すれば、
請求項１については消臭効果や防虫効果やアロマセラピー効果や抗菌効果などが期待されるイネ科のベチバーの根１を所要の大きさまたは長さに切り、ベチバーの根１間に所要の間隙２を有して、ほぼ並列に簾状に構成して通気性の良いネット、網、織布、編布、不織布、ウレタンフォームなどの発泡体などの通気材３で覆い周囲または２辺などの所要辺に固定用のベース枠４を設けた構成である。【０００７】  請求項２については消臭効果や防虫効果やアロマセラピー効果や抗菌効果などが期待されるイネ科のベチバーの根１を所要の大きさまたは長さに切り、ベチバーの根１を縦横に間隙２を有して組んだ格子状に構成して通気性の良いネット、網、織布、編布、不織布、ウレタンフォームなどの発泡体などの通気材３で覆い周囲または２辺などの所要辺に固定用のベース枠４を設けた構成である。
【考案の効果】
【０００８】  本考案の天然素材を使ったエアー機能材により新規の空気調節装置用としてはは勿論のこと既存の空気調節装置においても装備でき容易に臭気低減やアロマセラピー効果や抗菌効果や防虫効果などを得ることができますし、従来なかった新しいスタイルでの効能を体感でき、安全な天然素材のベチバーの根１による効果を簡単に効率良く得ることができるため環境の良い健全で明るく楽しい社会づくりに大きく貢献するものであります。【０００９】  具体効果を列記すれば、
（イ）環境や適性に応じたエアー機能材を選択すれば好みに応じた適度の芳香によるアロマセラピー効果などを楽しむことができます、このベチバーの根１の芳香により心身をリラックスさせたり、不眠症を改善できるような効果も期待できます。
（ロ）特に劣悪な環境であるトイレや病院や介護施設や在宅介護部屋やベット共存部屋などには有効です。
（ハ）エアー機能材はオプション的仕様で活用できるため個人の取捨選択範囲を拡げるものである。
【考案を実施するための最良の形態】
【実施例】
【００１０】  具体実施例を述べれば、
（イ）請求項１の簾状の天然素材を使ったエアー機能材はベチバーの根１の大きさや長さ、間隙２の大きさ、通気材３のメッシュサイズなどを規格選定した複数の種別型式を有す。
（ロ）請求項２の格子状の天然素材を使ったエアー機能材はベチバーの根１の大きさや長さ、間隙２の大きさ、通気材３のメッシュサイズなど規格選定した複数の種別型式を有す。
（ハ）天然素材を使ったエアー機能材の形状は請求項１記載の簾状、および請求項２記載の格子状に限定せず、ベチバーの根１を渦巻き状や螺旋状など種々の形状とする場合もあり、要はベチバーの根１と間隙２が所要の機能を有する構成であって製造技術や製造費用などに問題がなければエアー機能材の形状は限定しない。
（ニ）空気調節装置の天然素材を使ったエアー機能材はエアーフィルターと組み合わせ併用する。
（ホ）空気調節装置の天然素材を使ったエアー機能材はエアーフィルターと一体化する場合もあり、その構成は所要の通気性を配慮したエアー機能材の通気材３がエアーフィルターの代用を成すものである。
（ヘ）エアー機能材はニーズや設置環境に応じた型式を選択してオーダーメイド的感覚でも活用できる。
（ト）天然素材を使ったエアー機能材は空気調節装置用としてばかりではなく所要の大きさやサイズや構造として簾や暖簾やカーテンなど多岐な用途に活用できる構成とする。
（チ）エアー機能材のベース枠４や通気材３、または両方を有せずベチバーの根１を紐などで結んで組み合わせた簾状や格子状構造とする場合もある。
（リ）エアー機能材はベチバーの根１を粒状または粉状またはこれらの混合物に通気用の間隙２を有した状態で通気材３で覆った構成とするし、またはベチバーの根１を長尺または短尺に切断しこれらを混合した状態で通気材３で覆って固着した構成とする場合もある。
（ヌ）ベチバーの根１を炭化加工して炭としての効能により、より有効で付加価値の高いエアー機能材とする。
（ル）エアー機能機材は空気調節装置のエアーフィルター位置または付近またはエアー吸気位置または送風位置の何れかに有する。
（ヲ）エアー機能材をオプション的差別化商品として提供する場合もある。
（ワ）本エアー機能材は劣悪な環境である例えばトイレ、病院、介護施設、在宅介護部屋、工場、倉庫、ペット共存部屋などの空気調節装置への装着が有効である。
【図面の簡単な説明】
【図１】本考案の一例を示す請求項１の平面図で、通気材３は角部のみ描き、ベチバーの根１や間隙２の番号は代表のみ付けて後は省略した。
【図２】本考案の一例を示す請求項２の平面図で、通気材３は角部のみ描き、ベチバーの根１や間隙２の番号は代表のみ付けて後は省略した。
【符号の説明】
１はベチバーの根
２は間隙
３は通気材
４はベース枠
【図１】
0003125981.tif 000003
【図２】
0003125981.tif 000004